(57)【要約】【課題】  室内に入る日差し量を適正に快適に備えるために軒下にカ−テン暖簾を設け外壁とカ−テン暖簾の空間を有し涼風、流通を設けたことによって室内の環境を快適であり又、軒下の植物等にも快適であると共に扉窓等を開放でも外部からは見にくいのと洗濯物を干して仁輪加雨が降ってもカ−テン暖簾でさえぎる又、カ−テン暖簾不要時にフック付車と補助フック付支持具等を利用しハンガ−を掛け物干しにも出来るのと電力供給によって節電停電とかに関係なく快適であり電力経費削減にも成ることを軒下カ−テン暖簾装置を提供する。【解決手段】  レ−ルとから成る車を設け前記車のフック棒にカ−テン暖簾を備え前記庇に設けた、前記軒下が不設備に外壁に三角形金具を設けた。【選択図】図１
0003174133.tif 000002
【実用新案登録請求の範囲】
【請求項１】
レ−ルと、レ−ルに沿って移動可能に取り付けられ、互いに連結された複数のフック付車とレ−ルの後端に取り付けられた支軸と前記複数のフック付車のうち先頭のフック付車に取り付けられ、前記支軸の外周を半周してレ−ルの先端に伸びるル−プ状の索体とを有することを特徴とする軒下カ−テン暖簾装置。
【請求項２】
外壁に取り付けた三角形金具に前記レ−ルが取り付けられていることを特徴とする請求項１記載の軒下カ−テン暖簾装置。
【考案の詳細な説明】
【技術分野】
【０００１】  本考案はカ−テンに関する軒下カ−テン暖簾装置に関わるものである。
【背景技術】
【０００２】  従来の開口部に日除け、スク−リン、シ−ト等を備えに不便を生じるのである。
【先行技術文献】
【特許文献】
【０００３】
【特許文献１】特許公開２０１０−１３３０８６号公報
【特許文献２】特許公開２００８−１０６４８６号公報
【特許文献３】特許公開２００７−２０５１３７号公報
【特許文献４】特許公開２００１−２６２８０１号公報
【特許文献５】特許公開平  １０−３１７６２４号公報
【考案の概要】
【考案が解決しようとする課題】
【０００４】  しかし、これでは日除け、スク−リン、シ−ト等の間から直接に日差しが外壁に当たる、外壁が熱を保って室内にも伝わるので不便を生じるのである。
【課題を解決するための手段】
【０００５】  レ−ルと、レ−ルに沿って移動可能に取り付けられ、互いに連結された複数のフック付車とレ−ルの後端に取り付けられた支軸と前記複数のフック付車のうち先頭のフック付車に取り付けられ、前記支軸の外周を半周してレ−ルの先端に伸びるル−プ状の索体とを有することを軒下カ−テン暖簾装置。【０００６】  外壁に取り付けた三角形金具に前記レ−ルが取り付けられていることを軒下カ−テン暖簾装置。
【考案の効果】
【０００７】  室内に入る日差し量を適正に快適に備えるために軒下にカ−テン暖簾を設け外壁とカ−テン暖簾の空間を有し涼風、流通を設けたことによって室内の環境を快適であり又、軒下の植物等にも快適であると共に扉窓等の開放でも外部からは見にくいのと洗濯物を掛けても仁輪加に雨が降ってもカ−テン暖簾でさえぎる又、電力供給によって節電停電とかに関係なく快適であり電力経費削減にも成る。
【図面の簡単な説明】
【０００８】
【図１】  本考案に係わる軒下カ−テン暖簾装置の軒下に取り付けるレ−ルとフック付車、絡み防止管、カ−テン、暖簾の斜視図である。
【図２】  本考案に係わる軒下カ−テン暖簾装置のレ−ルと回転管に索体巻き、フック付支持具（３ａ）、回転管の上部に索体を載せ（３ｇ）の拡大正面図である。
【図３】  本考案に係わる軒下カ−テン暖簾装置の枠外の記号フック付支持棒３ａとする、絡み防止管３ａ７の開の状態、フック等（３ａ）、枠外の記号フック付車３ｇとする、索体の輪、車等（３ｇ）の斜視図である。
【図４】  本考案に係わる軒下カ−テン暖簾装置の枠外の記号フック付車３ｂ，３ｃ，３ｄ，３ｅ，３ｆのまとめ、絡み防止管をフックに挿入状態等の斜視図である。
【図５】  本考案に係わる軒下カ−テン暖簾装置の枠外の記号補助フック付支持具３ｈ、（ａ）、レ−ルに取り付けたフック付車全体の記号と索体と輪と車、レ−ルの断面図（ｂ）の斜視図である。
【図６】  本考案に係わる軒下カ−テン暖簾装置の軒下に取り付けたレ−ルとフック付車カ−テン開口部の斜視図である。
【図７】  本考案に係わる軒下カ−テン暖簾装置の軒下の不設備に外壁に三角形金具と支持具、レ−ル、フック付車、カ−テンを取り付けた斜視図である。
【図８】  本考案に係わる軒下カ−テン暖簾装置の軒下と外壁に取り付けたレ−ルと三角形金具、支持棒、フック付車カ−テン暖簾の全景の斜視図である。
【考案を実施するための形態】
【０００９】  本考案に関わる軒下カ−テン暖簾装置図１，２，３，４，５．６，７，８に示すように軒下１１ｂにレ−ル１ｒを取り付け索体９の１本をフック付車３ｇに固定しその索体９をフック付車３ｆの輪３ｆ３を通し次のフック付車３ｅの輪３ｅ３，３ｄ３，３ｃ３，３ｂ３同様に通し又，次のフック付支持具３ａの輪３ａ３を通し回転管２ｂから折り返しフック付支持具３ａの輪３ａ３を通し次の輪３ｂ３，３ｃ３，３ｄ３，３ｅ３，３ｆ３，３ｇ３を通しその索体９端をフック付車３ｇに固定しフック付車３ｇから索体を２本を回転管２ｃの上部に載せる。
カ−テン５、暖簾６の取り付け各フック付車のフック３ａ８，３ｂ８，３ｃ８，３ｄ８，３ｅ８，３ｆ８，３ｇ８を支持孔５ａ，５ｂ，５ｃ，６ａ，６ｂ，６ｃ，６ｄに通し各管４４，４ａ等を挿入する又、カ−テン５、暖簾６の支持孔５ｃ，６ａで索体９等で繋ぎ５６をする、カ−テン５、暖簾６の開閉は索体９ｂで左右に引くことが出来る又、索体９不要でもカ−テン５、暖簾６の開閉は可能である。
【００１０】  カ−テン５暖簾６の高さの調整は補助フック付支持具３ｈで調整を行う。
【００１１】  軒下１１ｂの不設備に外壁１３ｄの開放部１３ｃの上部に三角形金具１０，１０ａ，１０ｂを取り付け前記三角形金具に支持具１０ｃ，１０ｄ，１０ｅを設け外壁１３ｄに取り付け前記三角形金具の下面にレ−ル１ｒを取り付けその以後の説明文書は上記０００９と００１０同様で省略する。
【符号の説明】
【００１２】  １ｒ  レ−ル        １ｒｒ  曲げ            １ａ  端
１ａａ  端              １ｂ  取り付け孔      １ｃ  取り付け孔
１ｄ  取り付け孔      １ｅ  レ−ル溝          ２  雌ネジ
２ａ  雌ネジ          ２ｂ  回転管          ２ｃ  回転管
２ｄ  固定ビス        ２ｅ  固定ビス
３ａ  フック付支持具以下枠内の記号と名称
（３ａ４４  固定ビス    ３ａ３  索体輪      ３ａ５  支持孔
３ａ６  支持棒    ３ａ７  絡み防止管      ３ａ８  カ−テン暖簾の支持フッ        ク）
３ｂ，フック付車以下枠内の記号と名称
（３ｂ１  車            ３ｂ２  車            ３ｂ３  索体輪
３ｂ４  車支持棒      ３ｂ５  車支持孔      ３ｂ６  支持棒
３ｂ７  絡み防止管    ３ｂ８  カ−テン暖簾の支持フック）
３ｃ，３ｄ，３ｅ，３ｆフック付車以下枠内の記号と名称は上記３ｂと同様で省略する        。
３ｇ  フック付車以下枠内の記号と名称
（３ｇ１  車            ３ｇ２  車            ３ｇ３  索体輪
３ｇ４  車支持棒      ３ｇ５  車支持孔      ３ｇ６  支持棒
３ｇ７  絡み防止管    ３ｇ８  カ−テン暖簾の支持フック）
３ｈ  補助フック付支持具以下枠内の記号と名称
（３ｈ５  支持孔      ３ｈ６  支持棒        ３ｈ７  絡み防止管
３ｈ８  カ−テン暖簾の支持フック）
４４  絡み防止管            ４ａ  絡み防止管      ４ｂ  絡み防止管
４ｃ  絡み防止管            ４ｄ  絡み防止管      ４ｅ  絡み防止管
４ｆ  絡み防止管              ５  カ−テン        ５ａ  支持孔
５ｂ  支持孔                ５ｃ  支持孔          ５ｄ  支持孔
５ｅ  支持孔                ５ｆ  支持孔          ５ｇ  支持孔
５ｈ  支持孔                  ６  暖簾            ６ａ  支持孔
６ｂ  支持孔                ６ｃ  支持孔          ６ｄ  支持孔
６ｅ  支持孔                ６ｆ  支持孔          ６ｇ  支持孔
６ｈ  支持孔                ５６  繋ぎ              ７  カ−テン
８  カ−テン                ９  索体            ９ａ  索体固定
９ｂ  カ−テン暖簾の開閉索体                      １０  三角形金具
１０ａ  三角形金具          １０ｂ  三角形金具    １０ｃ  支持棒
１０ｄ  支持棒              １０ｅ  支持棒        １０ｆ  取り付け
１０ｇ  取り付け            １０ｈ  取り付け      １０ｉ  取り付け孔
１０ｊ  取り付け              １１  屋根          １１ａ  通気口
１１ｂ  軒下                １１ｃ  雨どい          １２  室内
１３  開口部              １３ａ  開口部        １３ｂ  開口部
１３ｃ  開口部              １３ｄ  外壁
【図１】
0003174133.tif 000003
【図２】
0003174133.tif 000004
【図３】
0003174133.tif 000005
【図４】
0003174133.tif 000006
【図５】
0003174133.tif 000007
【図６】
0003174133.tif 000008
【図７】
0003174133.tif 000009
【図８】
0003174133.tif 000010